(57)【要約】【課題】  本発明は、送信用アンプの平均光入力パワーを制御して、可能なプリエンファシス制御の量を増大させることを目的とする。【解決手段】  開示の一実施形態による伝送装置は、送信用アンプの出力から受信側装置の受信用アンプの出力までの間の伝送品質に基づく指標に基づき送信用アンプの平均光入力パワーの目標値を決定する送信用アンプ制御部と、前記目標値及び前記受信用アンプの出力における波長単位の受信光パワーに基づき、波長毎に送信光パワーの調整量を決定するプリエンファシス制御部と、を備える。【選択図】  図４
2014192615.tif 000002
【特許請求の範囲】
【請求項１】
送信用アンプの出力から受信側装置の受信用アンプの出力までの間の伝送品質に基づく指標に基づき送信用アンプの平均光入力パワーの目標値を決定する送信用アンプ制御部と、
前記目標値及び前記受信用アンプの出力における波長単位の受信光パワーに基づき、波長毎に送信光パワーの調整量を決定するプリエンファシス制御部と、
を備える伝送装置。
【請求項２】
前記送信用アンプ制御部は、前記受信用アンプの出力における波長単位の受信光パワーに基づきチルト量を算出し、前記チルト量が現在のプリエンファシス制御が可能な量より大きい場合に、前記目標値を現在の送信用アンプの平均光入力パワーより低い値に決定する、請求項１に記載の伝送装置。
【請求項３】
前記送信用アンプ制御部は、前記指標が所定の範囲の場合に、前記目標値を現在の平均光入力パワーより低い値に決定する、請求項１又は２に記載の伝送装置。
【請求項４】
前記送信用アンプ制御部は、前記指標が示す前記伝送品質が悪いほど、前記目標値を現在の平均光入力パワーより低い値に決定する、請求項１乃至３のいずれか一項に記載の伝送装置。
【請求項５】
前記送信用アンプの出力から前記受信側装置の受信用アンプの出力までの間の累積自然放出雑音（ＡＳＥ）を算出するＡＳＥ算出部と、
前記累積ＡＳＥに基づき前記送信用アンプの出力から前記受信側装置の受信用アンプの出力までの間の光信号対雑音比（ＯＳＮＲ）を算出するＯＳＮＲ算出部と、
を更に備え、
前記送信用アンプ制御部は、前記ＯＳＮＲを前記指標として用いる、請求項１乃至４のいずれか一項に記載の伝送装置。
【請求項６】
送信側装置と受信側装置とその間に配置された１以上の中継装置とを有する伝送システムであって、
前記受信側装置は、受信用アンプの出力における波長単位の受信光パワーをモニタして前記送信側装置に通知し、
前記送信側装置は、
送信用アンプの出力から前記受信側装置の受信用アンプの出力までの間の伝送品質に基づく指標に基づき送信用アンプの平均光入力パワーの目標値を決定する送信用アンプ制御部と、
前記目標値及び前記受信用アンプの出力における波長単位の受信光パワーに基づき、波長毎に送信光パワーの調整量を決定するプリエンファシス制御部と、
を備える、伝送システム。
【請求項７】
伝送装置の送信用アンプの平均光入力パワーを制御する方法であって、
前記伝送装置の送信用アンプ制御部により、前記送信用アンプの出力から受信側装置の受信用アンプの出力までの間の伝送品質に基づく指標に基づき前記送信用アンプの平均光入力パワーの目標値を決定し、
前記目標値及び前記受信用アンプの出力における波長単位の受信光パワーに基づき、波長毎に送信光パワーの調整量を決定する、
ことを特徴とする制御方法。
【発明の詳細な説明】
【技術分野】
【０００１】
本発明は、伝送装置、伝送システム及び光入力パワー制御方法に関する。
【背景技術】
【０００２】
波長分割多重（Wavelength  Division  Multiplexing：ＷＤＭ）光伝送システムでは、波長をＡＤＤ／ＤＲＯＰする機能を有するReconfigurable  Optical  Add  Drop  Multiplexer（ＲＯＡＤＭ）装置を多段接続して長距離伝送を実現している。ＲＯＡＤＭ装置では、受信側で監視される波長間の光パワーレベルのばらつき（チルト）が小さくなるよう、送信側の波長選択スイッチ（Wavelength  Selective  Switch：ＷＳＳ）により波長毎に光パワーレベルを制御することにより、良好な伝送特性を保証している。このような制御は、プリエンファシス制御と呼ばれる。
【０００３】
ＲＯＡＤＭ装置は、ＡＤＤ／ＤＲＯＰ機能を実現するためにＷＳＳ等の高価な構成要素を備えるため、高価である。そこで、波長をＡＤＤ／ＤＲＯＰする必要のない箇所に、ＲＯＡＤＭ装置の代わりに、信号を増幅し伝送する機能のみを有する中継装置（In  Line  Amplifier：ＩＬＡ）を配置することにより、ネットワークを安価に構成している。（例えば、特許文献１）
しかし、ＲＯＡＤＭ装置の代わりにＩＬＡを配置すると、ＲＯＡＤＭ装置間の光ファイバ長が長くなりスパンロスも増大する。スパンロスの増大に伴い、波長依存性ロス（Wavelength  Dependent  Loss：ＷＤＬ）に起因するチルトが大きくなってしまう。チルトの大きさがＷＳＳにより可能なプリエンファシス制御の量を超える場合には、ＩＬＡを配置することが出来なかった。
【先行技術文献】
【特許文献】
【０００４】
【特許文献１】特開２０００−３３２６８６号明細書
【発明の概要】
【発明が解決しようとする課題】
【０００５】
送信用アンプの平均光入力パワーを制御して、伝送装置の可能なプリエンファシス制御の量を増大させることを目的とする。
【課題を解決するための手段】
【０００６】
開示の一実施形態による伝送装置は、送信用アンプの出力から受信側装置の受信用アンプの出力までの間の伝送品質に基づく指標に基づき送信用アンプの平均光入力パワーの目標値を決定する送信用アンプ制御部と、前記目標値及び前記受信用アンプの出力における波長単位の受信光パワーに基づき、波長毎に送信光パワーの調整量を決定するプリエンファシス制御部と、を備える。
【発明の効果】
【０００７】
開示の装置及び方法によれば、送信用アンプの平均光入力パワーを制御して、可能なプリエンファシス制御の量を増大させることができる。
【図面の簡単な説明】
【０００８】
【図１】本発明の実施形態を適用できる例示的なネットワーク構成図を示す。
【図２】ＲＯＡＤＭ装置間のプリエンファシス制御を説明する図である。
【図３】ＲＯＡＤＭ装置内における平均光パワーの変化を示す図である。
【図４】ＰｏｓｔＡＭＰの平均入力パワーを下げた場合のＲＯＡＤＭ装置内における平均光パワーの変化を示す図である。
【図５】ＲＯＡＤＭ装置間にＩＬＡを配置した場合のＯＳＮＲを説明する図である。
【図６】図５のＩＬＡ区間のスパンロスと各区間のＯＳＮＲとの関係を示すグラフである。
【図７】ＲＯＡＤＭ装置のＰｏｓｔＡＭＰの平均入力パワーを下げた場合の図５のＩＬＡ区間のスパンロスと各区間のＯＳＮＲとの関係を示すグラフである。
【図８】図７のグラフをＩＬＡ区間ＯＳＮＲとＰｏｓｔＡＭＰの平均入力パワーとの関係に変換したグラフである。
【図９】ＲＯＡＤＭ装置の構成図である。
【図１０】ＩＬＡの構成図である。
【図１１】波長単位の受信光パワーを伝達する実施例を説明する図である。
【図１２】ＰｏｓｔＡＭＰの平均入力パワーの目標値を算出する第１の実施例を説明する図である。
【図１３】ＰｏｓｔＡＭＰの平均入力パワーの目標値を算出する第２の実施例を説明する図である。
【図１４】ＰｏｓｔＡＭＰの平均入力パワーの目標値を算出する第３の実施例を説明する図である。
【図１５】ＰｏｓｔＡＭＰの平均入力パワーの目標値を算出する第４の実施例を説明する図である。
【図１６】ＰｏｓｔＡＭＰの平均入力パワーを制御する方法の全体のフローチャートである。
【図１７】プリエンファシス制御量及びチルト量を算出する処理のフローチャートである。
【図１８】ＰｏｓｔＡＭＰの平均入力パワーの目標値を決定する処理のフローチャートである。
【図１９】プリエンファシス制御を実行する処理のフローチャートである。
【発明を実施するための形態】
【０００９】
＜ネットワーク構成＞
図１を参照して本発明の実施形態を適用できる例示的なネットワーク構成を説明する。
【００１０】
図１の（ａ）は、ＲＯＡＤＭ装置Ａ〜Ｇを用いたネットワーク構成図を示す。各ＲＯＡＤＭ装置間は光ファイバにより接続されている。各ＲＯＡＤＭ装置間、つまりＡ−Ｂ間、Ｃ−Ｄ間、Ｄ−Ｅ間、Ｅ−Ｆ間及びＦ−Ｇ間では、各々の区間の光ファイバ長に応じてスパンロスが増大し、ＷＤＬに起因するチルトが生じる。これらのチルトは、各ＲＯＡＤＭ装置間で後述のプリエンファシス制御を行うことにより補償されて零になるので、各ＲＯＡＤＭ装置間で生じるチルトが累積されることはなく、Ａ−Ｇ間では光信号の良好な伝送が保証される。
【００１１】
図１の（ａ）のＲＯＡＤＭ装置Ｂ、Ｃ、Ｅ、Ｆをそれぞれ安価なＩＬＡｂ、ｃ、ｅ、ｆに置き換えることにより、（ｂ）のように安価なネットワーク構成に変更することができる。
【００１２】
（ｂ）では、ＲＯＡＤＭ装置Ａ−Ｄ間、つまりＲＯＡＤＭ装置ＡからＩＬＡｂ及びｃを介してＲＯＡＤＭ装置Ｄまでの間では、ＩＬＡｂ、ｃを含む光ファイバ長に応じてチルトが生じる。このチルトは、ＲＯＡＤＭ装置Ａ−Ｄ間でプリエンファシス制御を行うことにより補償される。同様に、ＲＯＡＤＭ装置Ｄ−Ｇ間、つまりＲＯＡＤＭ装置ＤからＩＬＡｅ及びｆを介してＲＯＡＤＭ装置Ｇまでの間も、ＩＬＡｅ、ｆを含む光ファイバ長に応じてチルトが生じる。このチルトは、ＲＯＡＤＭ装置Ｄ−Ｇ間でプリエンファシス制御を行うことにより補償される。したがって、（ａ）と同様に、各ＲＯＡＤＭ装置間で生じるチルトが累積されることなく、Ａ−Ｇ間では光信号の良好な伝送が保証される。
【００１３】
ここで、各区間で発生するチルト量は各区間の光ファイバ長に応じたスパンロスに比例して増大するので、各装置間の光ファイバ長が同じならば、ＲＯＡＤＭ装置Ａ−Ｄ間、Ｄ−Ｇ間で発生する各チルト量は、（ｂ）の構成では（ａ）の約３倍に増大してしまう。これは、従来のプリエンファシス制御の許容量を超えてしまう可能性がある。このような場合には、チルト補償のみを目的としてＩＬＡの代わりにＲＯＡＤＭ装置を設置しなければならなかった。
【００１４】
本発明の実施形態を適用することにより、このような場合にもＲＯＡＤＭ装置の代わりにＩＬＡを設置することができ、ネットワークを安価に構成することが可能になる。
【００１５】
＜ＲＯＡＤＭ装置間のプリエンファシス制御＞
図２を参照してＲＯＡＤＭ装置間のプリエンファシス制御を説明する。図２の上段に示すように、例として、ＲＯＡＤＭ装置ＡがＩＬＡｂを介してＲＯＡＤＭ装置Ｃに接続されているネットワーク構成について説明する。ＩＬＡｂは挿入されなくても良く、或いは複数挿入されても良い。
【００１６】
図２の（ａ）〜（ｄ）は、縦軸に光信号パワー、横軸に光信号の波長を示す。
【００１７】
（ａ）は、ＲＯＡＤＭ装置Ａから送信される光信号パワーを示し、全ての波長において、光信号は後述する送信用アンプの平均入力パワーと同じパワーを有する。光信号は、ＲＯＡＤＭ装置Ａから光ファイバ及びＩＬＡｂを伝搬し、ＲＯＡＤＭ装置Ｃで受信される。
【００１８】
（ｂ）は、ＲＯＡＤＭ装置Ｃで受信された光信号の強度を示し、光信号パワーは、波長によって後述する受信用アンプの平均出力パワーの上下にばらつきを示す。（ｂ）における最大強度と最小強度の差が、ＲＯＡＤＭ装置Ａ−Ｃ間で生じたチルト量（Δｔ）である。このチルト量Δｔは、ＲＯＡＤＭ装置Ａ−Ｃ間のプリエンファシス制御により補償することができる。
【００１９】
プリエンファシス制御を行うために、先ず、ＲＯＡＤＭ装置Ｃは自身がモニタした波長単位の受信光パワーをＲＯＡＤＭ装置Ａに通知する。次に、ＲＯＡＤＭ装置Ａは、ＲＯＡＤＭ装置Ｃから通知された波長単位の受信光パワーに基づき、波長毎に送信光パワーを調整する。例えば、ＲＯＡＤＭ装置Ｃから（ｂ）に示すような波長毎の受信光パワーが通知された場合、ＲＯＡＤＭ装置Ａは、（ｃ）に示すように波長毎に送信光パワーを予め調整して送信する。
【００２０】
受信側のＲＯＡＤＭ装置Ｃで受信光パワーの高い波長は、送信側のＲＯＡＤＭ装置Ａで送信光パワーを低くする。これにより、光ファイバの非線形効果による波形劣化を防ぐことができる。また、受信側のＲＯＡＤＭ装置Ｃで受信光パワーの低い波長は、送信側のＲＯＡＤＭ装置Ａで送信光パワーを高くすることにより、光信号対雑音比（Optical  Signal  Noise  Ratio：ＯＳＮＲ）の劣化を防ぐことができる。
【００２１】
このように、送信側のＲＯＡＤＭ装置Ａで送信光パワーを波長毎に調整することにより、（ｄ）に示すように受信側のＲＯＡＤＭ装置Ｃにおいてモニタされる受信光パワーは、（ｂ）と比べて波長間のばらつきが少なく均一化される。
【００２２】
このとき、ＲＯＡＤＭ装置Ａの送信用アンプの平均入力パワーは、波長毎に送信光パワーを調整することにより、ＲＯＡＤＭ装置Ｃの受信用アンプの出力パワーの波長毎のばらつきを均一化する処理を行うため、（ａ）と（ｃ）の平均出力パワー値は変わらず、同じ値となる。
【００２３】
上述のように、プリエンファシス制御は、送信側のＲＯＡＤＭ装置が波長毎に減衰量を調整することにより、受信側のＲＯＡＤＭ装置で検出されるチルト量（Δｔ）を補償する。よって、送信側のＲＯＡＤＭ装置の最大可変減衰量をプリエンファシス制御量（ΔＰＥ）と表すと、プリエンファシス制御を実現するためにはΔＰＥ≧Δｔでなければならない。
【００２４】
＜ＲＯＡＤＭ装置内のプリエンファシス制御＞
次に、上述のプリエンファシス制御がＲＯＡＤＭ装置内でどのように実行されるかを説明する。
【００２５】
図３は、ＲＯＡＤＭ装置内における平均光パワーの変化を説明する図である。
【００２６】
図３の上側は、ＲＯＡＤＭ装置の概略ブロック図を示す。ＲＯＡＤＭ装置３０１は、受信用アンプ（ＰｒｅＡＭＰ）３０２、スプリッタ（ＳＰＬ）３０３、波長選択スイッチ（Wave  Selection  Switch：ＷＳＳ）３０４、送信用アンプ（ＰｏｓｔＡＭＰ）３０５、２つの光チャネルモニタ（Optical  Channel  Monitor：ＯＣＭ）３０６、３０７、及びプリエンファシス制御部３０８を有する。
【００２７】
ＲＯＡＤＭ装置３０１が受信した光信号は、ＰｒｅＡＭＰ３０２により増幅され、ＳＰＬ３０３により光信号がドロップされ、ＷＳＳにより波長単位で光信号がアッドされ、そしてＰｏｓｔＡＭＰ３０５により増幅された後に送信される。
【００２８】
ＯＣＭ３０６は、図２の（ｂ）及び（ｄ）に関して説明したように、ＰｒｅＡＭＰ３０２から出力された受信光のパワーを波長単位でモニタする。受信側のＲＯＡＤＭ装置は、ＯＣＭ３０６によりモニタした波長単位の受信光パワーを、送信側のＲＯＡＤＭ装置へ、例えば光監視チャネル（Optical  Supervisory  Channel：ＯＳＣ）を介して通知する。
【００２９】
ＯＣＭ３０７は、図２の（ａ）及び（ｃ）に関して説明したように、ＰｏｓｔＡＭＰ３０５へ入力される送信光のパワーを波長単位でモニタできる。
【００３０】
プリエンファシス制御部３０８は、受信側のＲＯＡＤＭ装置から通知された波長単位の受信光パワーと（送信側のＲＯＡＤＭ装置の）ＯＣＭ３０７によりモニタした波長単位の光信号パワーとに基づき、送信側で光信号に加えるべき減衰量を波長毎に決定する。
【００３１】
ＷＳＳ３０４は、プリエンファシス制御部３０８により決定された波長毎の減衰量に従って、波長毎に送信光パワーを減衰させる。図２を参照して説明したプリエンファシス制御量（ΔＰＥ）は、このＷＳＳ３０４により加えることのできる減衰量の最大値と最小値の差に相当する。
【００３２】
このような構成のＲＯＡＤＭ装置内における平均光パワーの変化を、図３の下側のグラフ３１０を参照して説明する。グラフの縦軸は全ての波長の光信号の平均光パワーを示し、横軸は上側に示したＲＯＡＤＭ装置内の位置に対応する。
【００３３】
ＲＯＡＤＭ装置３０１が受信した光信号の平均光パワーは、先ず、ＰｒｅＡＭＰ３０２のゲイン分だけ上昇する（３１１）。
【００３４】
平均光パワーは、光信号がＰｒｅＡＭＰ３０２から出力されＳＰＬ３０３に入力されるまでの間に伝搬により僅かながら減衰し、ＳＰＬ３０３を通過することによりＳＰＬ部のロス分だけ更に減少する（３１２）。
【００３５】
平均光パワーは、ＷＳＳ３０４において、ＷＳＳ部の固定ロス分（３１３）に加えて、ＷＳＳ部による減衰（ＡＴＴ）ロス分、つまりプリエンファシス制御部３０８により決定された波長毎の減衰量だけ更に減衰する（３１４）。
【００３６】
最後に、ＰｏｓｔＡＭＰ３０５により増幅されるため、平均光パワーはＰｏｓｔＡＭＰのゲイン分だけ上昇する（３１５）。
【００３７】
図３のグラフ３１０において、受信側で波長毎の受信光パワーを減少させるためには、ＷＳＳ３０４による減衰量を増加させる。この場合、矢印３２２で示すように、ＰｏｓｔＡＭＰ３０５の平均入力パワーは減少する。
【００３８】
反対に、受信側で波長毎の受信光パワーを増大させるためには、ＷＳＳ３０４による減衰量を減少させる。この場合、矢印３２１で示すように、ＰｏｓｔＡＭＰ３０５の平均入力パワーは増大する。
【００３９】
ここで、ＰｏｓｔＡＭＰの平均入力パワーは、ＰｏｓｔＡＭＰのＯＳＮＲを大きく（良く）するために、通常、高い値に決められている。また、ＷＳＳ３０４の固定ロスはＷＳＳデバイス固定の一定値のため、ＷＳＳ部ＡＴＴロスを０にしても、ＰｏｓｔＡＭＰ３０５の入力パワー値は、ＷＳＳ部固定ロスを加えた入力パワー値よりも、上げることはできない。そのため、ＰｏｓｔＡＭＰ３０５の平均入力パワー値は、ＷＳＳ部ＡＴＴロスによって定められているので、ＷＳＳ３０４による減衰量を減少できる量には限度がある。ＷＳＳ３０４による減衰量を減少できる量は、図３では矢印３２１により示す範囲だけである。ＷＳＳ３０４の最大可変減衰量がプリエンファシス制御量ΔＰＥなので、プリエンファシス制御量ΔＰＥはＰｏｓｔＡＭＰの平均入力パワーにより制限される。
【００４０】
＜プリエンファシス制御量ΔＰＥの増加＞
本発明の実施形態では、図３を参照して説明したＰｏｓｔＡＭＰの平均入力パワーを下げることにより、プリエンファシス制御量ΔＰＥを増加させることができる。これについて以下に詳細に説明する。
【００４１】
図４は、ＰｏｓｔＡＭＰの平均入力パワーを下げた場合のＲＯＡＤＭ装置内における平均光パワーの変化を示す図である。
【００４２】
図４の上側は、ＲＯＡＤＭ装置の概略ブロック図を示す。ＲＯＡＤＭ装置４０１は、受信用アンプ（ＰｒｅＡＭＰ）４０２、スプリッタ（ＳＰＬ）４０３、波長選択スイッチ（Wavelength  Selective  Switch：ＷＳＳ）４０４、送信用アンプ（ＰｏｓｔＡＭＰ）４０５、及び２つの光チャネルモニタ（Optical  Channel  Monitor：ＯＣＭ）４０６、４０７、プリエンファシス制御部４０８を有する。構成要素４０２〜４０７は図３の構成要素３０２〜３０７と同様である。
【００４３】
プリエンファシス制御部４０８は、ＰｏｓｔＡＭＰ４０５の平均入力パワーも考慮して波長毎の減衰量を決定する点が図３のプリエンファシス制御部３０８と異なる。
【００４４】
図４の下側のグラフ４１０はＲＯＡＤＭ装置内における平均光パワーの変化を示す。図３のグラフ３１０と同様に、縦軸は全ての波長の光信号の平均光パワーを示し、横軸は上側に示したＲＯＡＤＭ装置内の位置に対応する。参照符号４１１〜４２２は、図３の３１１〜３２２に対応する。また、ＰｏｓｔＡＭＰ４０５の平均入力パワー１は図３のＰｏｓｔＡＭＰ３０５の平均入力パワー１に対応する。
【００４５】
図３と同様に、受信側で波長毎の受信光パワーを減少させるためには、ＷＳＳ４０４による減衰量を増加させる。この場合、矢印４２２の方向にＷＳＳ４０４のＡＴＴ減衰量を増加させることで、該当波長の受信光パワーを減少させることができる。
【００４６】
図３と同様に、図４のグラフ４１０において、受信側で波長毎の受信光パワーを増大させるためには、ＷＳＳ４０４による減衰量を減少させる。この場合、矢印４２１の方向にＷＳＳ４０４のＡＴＴ減衰量を減少させることで、該当波長の受信光パワーを増加させることができる。このとき、矢印４２１の方向の減衰量が不足する場合には、ＰｏｓｔＡＭＰ４０５の平均入力パワー１を平均入力パワー２に下げることにより、矢印４２３に示すように、ＷＳＳ４０４のＡＴＴ減衰量の減少可能な値を大きくすることができる。
【００４７】
したがって、ＷＳＳ４０４による可変減衰量の範囲を広げることができるので、プリエンファシス制御量ΔＰＥも増大させることができる。プリエンファシス制御量ΔＰＥが大きいほど、チルト補償できる量が大きくなるため、ＲＯＡＤＭ装置をＩＬＡ装置に置き換えて、ＲＯＡＤＭ装置間の伝送距離を長くできるので、ネットワークを安価に構成することが可能になる。
【００４８】
＜各区間のＯＳＮＲ＞
上述のように、ＰｏｓｔＡＭＰの平均入力パワーを下げることにより、プリエンファシス制御量ΔＰＥは増大する。しかし、ＰｏｓｔＡＭＰのＯＳＮＲは低下してしまうので、従来はＰｏｓｔＡＭＰの平均入力パワーを下げることができなかった。
【００４９】
本発明の実施形態では、ＲＯＡＤＭ装置間のスパンロスが大きい場合に、ＰｏｓｔＡＭＰの平均入力パワーの低下がＲＯＡＤＭ装置間のＯＳＮＲに与える影響が小さいことに着目する。
【００５０】
以下に、図５を参照して各区間のＯＳＮＲを説明する。図５では、ＲＯＡＤＭ装置ＡとＧの間にＩＬＡb〜ｆが配置されている。
【００５１】
ＲＯＡＤＭ装置ＡのＰｏｓｔＡＭＰのＯＳＮＲをＯＳＮＲ（Ａ）とし、ＲＯＡＤＭ装置GのＰｒｅＡＭＰのＯＳＮＲをＯＳＮＲ（Ｇ）とする。また、ＲＯＡＤＭ装置ＡのＰｏｓｔＡＭＰの出力から光ファイバを含みＩＬＡｂの出力までの区間のＯＳＮＲをＯＳＮＲ（ｂ）とする。同様に光ファイバとＩＬＡを含む各区間のＯＳＮＲをＯＳＮＲ（ｃ）〜ＯＳＮＲ（ｆ）により表す。ＲＯＡＤＭ装置Ａ−Ｇ間のＯＳＮＲをＲＯＡＤＭ区間のＯＳＮＲと呼び、ＯＳＮＲ（Ａ−Ｇ）と表す。
【００５２】
ＯＳＮＲ（Ａ）は、次式のようにＲＯＡＤＭ装置ＡのＰｏｓｔＡＭＰの平均入力パワーにより決定されるため、一定である。
ＯＳＮＲ（Ａ）＝Ｐｐｏｓｔ−ＮＦ＋Ｃ    （１）
ここで、ＰｐｏｓｔはＰｏｓｔＡＭＰの平均入力パワー［ｄＢｍ］、ＮＦはＰｏｓｔＡＭＰの雑音指数［ｄＢ］、Ｃは光ファイバを伝搬する光信号の波長帯域により決まる定数値である。
【００５３】
ＯＳＮＲ（ｂ−Ｇ）は、ＩＬＡ区間のＯＳＮＲを表し、次式で計算できる。
ＯＳＮＲ（ｂ−Ｇ）＝１／(１／ＯＳＮＲ（ｂ）＋１／ＯＳＮＲ（ｃ）＋１／ＯＳＮＲ（ｄ）＋１／ＯＳＮＲ（ｅ）＋１／ＯＳＮＲ（ｆ）＋１／ＯＳＮＲ（Ｇ）)      （２）
ＯＳＮＲ（Ａ−Ｇ）は次式により得られる。
ＯＳＮＲ（Ａ−Ｇ）＝１／（１／ＯＳＮＲ（Ａ）＋１／ＯＳＮＲ（ｂ−Ｇ））      （３）
＜ＰｏｓｔＡＭＰの平均入力パワーとＲＯＡＤＭ区間のＯＳＮＲの関係＞
図６は、以上のように計算した図５の各区間のＯＳＮＲとＩＬＡ区間の合計スパンロスとの関係を示す。図６の縦軸はＯＳＮＲ［ｄＢ］を示し、横軸はＩＬＡ区間の合計スパンロス［ｄＢ］を示す。縦軸及び横軸に示した数値は単なる例であり、本発明を限定しない。
【００５４】
曲線６０１、６０２、６０３は、それぞれ図５のＯＳＮＲ（Ａ）、ＯＳＮＲ（ｂ―Ｇ）、ＯＳＮＲ（Ａ−Ｇ）に対応する。
【００５５】
曲線６０２により示されるように、ＯＳＮＲ（ｂ−Ｇ）はＩＬＡ区間の合計スパンロスの増加に伴い低下する。ＯＳＮＲ（ｂ−Ｇ）がＯＳＮＲ（Ａ）よりもある程度小さくなった場合、例えば両矢印で示すように１０ｄＢだけ低くなった場合、ＯＳＮＲ（Ａ）がＯＳＮＲ（Ａ−Ｇ）に与える影響は非常に小さくなる。
【００５６】
よって、このような場合には、ＰｏｓｔＡＭＰの平均入力パワーを下げたとしても、ＲＯＡＤＭ区間の伝送品質に与える影響は無視できる程度である。したがって、ＲＯＡＤＭ装置間の伝送品質を良好に維持しつつ、ＰｏｓｔＡＭＰの平均入力パワーを制御して、プリエンファシス制御量ΔＰＥを増大させることができる。
【００５７】
＜ＰｏｓｔＡＭＰのＯＳＮＲの算出＞
図６のＲＯＡＤＭ区間のＯＳＮＲがΔｄだけ劣化した場合、式（３）のＯＳＮＲ（Ａ−Ｇ）は｛ＯＳＮＲ（Ａ−Ｇ）−Δｄ｝で置き換えられるので、ＰｏｓｔＡＭＰのＯＳＮＲは次式で表される。
ＯＳＮＲ（Ａ）＝１０＊ｌｏｇ［｛ＯＳＮＲ（Ａ−Ｇ）−Δｄ｝−１−ＯＳＮＲ（ｂ−Ｇ）−１］      （４）
図７に、式（４）により計算されたＯＳＮＲ（Ａ）を示す。図７は、ＲＯＡＤＭ装置ＡのＰｏｓｔＡＭＰの平均入力パワーを下げた場合の図５のＩＬＡ区間の合計スパンロスと各区間のＯＳＮＲとの関係を示す。図６と同様に、図７の縦軸はＯＳＮＲ［ｄＢ］を示し、横軸はＩＬＡ区間の合計スパンロス［ｄＢ］を示す。縦軸及び横軸に示した数値は単なる例であり、本発明を限定しない。
【００５８】
図７ではΔｄ＝０．２ｄＢとして計算したが、Δｄの値は単なる例であり、他の値が用いられても良い。Δｄの値は、ＷＤＭネットワークの光回線を設計する際に、予め決定するＯＳＮＲマージンに含まれる小さい値であることが望ましい。
【００５９】
図７の曲線７０１は式（４）により計算されたＯＳＮＲ（Ａ）を表す。比較のため、図６の曲線６０１に対応する曲線7０４を示す。曲線７０２は、図５のＯＳＮＲ（ｂ―Ｇ）及び図６の曲線６０２に対応する。曲線７０３は、図６の曲線６０３で示したＯＳＮＲ（Ａ−Ｇ）からΔｄを引いたものに対応する。
【００６０】
図７では、ＩＬＡ区間の合計スパンロスの増加に伴いＯＳＮＲ（Ａ）の劣化も大きくなっている。しかし、図７の曲線７０３と図６の曲線６０３を比較すると、両曲線はほぼ同じである。よって、ＩＬＡ区間の合計スパンロスの増加に伴いＯＳＮＲ（Ａ）の劣化が増大しても、ＯＳＮＲ（Ａ−Ｇ）の劣化は非常に小さいことが分かる。
【００６１】
特に、ＩＬＡ区間のＯＳＮＲがＰｏｓｔＡＭＰのＯＳＮＲよりもある程度低くなるＩＬＡ区間の合計スパンロスの範囲では、ＰｏｓｔＡＭＰのＯＳＮＲの劣化がＲＯＡＤＭ区間のＯＳＮＲに与える影響が少ないことが分かる。
【００６２】
＜ＰｏｓｔＡＭＰの平均入力パワーの目標値の算出＞
上述のように算出したＰｏｓｔＡＭＰのＯＳＮＲから、ＰｏｓｔＡＭＰの平均入力パワーを得ることができる。図８は、図７のグラフをＩＬＡ区間のＯＳＮＲとＰｏｓｔＡＭＰの平均入力パワーとの関係に変換したグラフである。図８の縦軸はＰｏｓｔＡＭＰの平均入力パワー［ｄＢｍ］を示し、横軸はＩＬＡ区間のＯＳＮＲ［ｄＢ］を示す。縦軸及び横軸に示した数値は単なる例であり、本発明を限定しない。
【００６３】
図８の曲線８０１は、上述の式（１）に図７のＰｏｓｔＡＭＰのＯＳＮＲ（曲線７０１により示したＯＳＮＲ（Ａ））を代入することにより得たＰｏｓｔＡＭＰの平均入力パワーＰｐｏｓｔに対応する。したがって、曲線８０１は、ＲＯＡＤＭ区間のＯＳＮＲの劣化をΔｄだけ許容した場合のＰｏｓｔＡＭＰの平均入力パワーの目標値（下限値）を示す。
【００６４】
図８では、ＰｏｓｔＡＭＰの平均入力パワーの初期値を−２０．０ｄＢｍとして直線８０２に示すが、この値は単なる例であり本発明を限定しない。
【００６５】
両矢印８０３〜８０７はＰｏｓｔＡＭＰの平均入力パワーの目標値（下限値）と初期値との差を示す。ＩＬＡ区間のＯＳＮＲが小さい（劣化する）ほど、ＰｏｓｔＡＭＰの平均入力パワーを初期値（直線８０２）から大きく下げることができる。一方、ＩＬＡ区間のＯＳＮＲが大きい（良好な）場合は、ＰｏｓｔＡＭＰの平均入力パワーを下げることができる量は小さい。
【００６６】
したがって、ＩＬＡ区間のＯＳＮＲに応じてＰｏｓｔＡＭＰの平均入力パワーを図８の曲線８０１のように制御することにより、図４を参照して説明したようにプリエンファシス制御量ΔＰＥを増大させることができる。
【００６７】
図８ではＩＬＡ区間のＯＳＮＲの低下に従ってＰｏｓｔＡＭＰの平均入力パワーを徐々に下げるようにした。代替として、図８でＩＬＡ区間のＯＳＮＲが所定範囲、例えば１９〜２６ｄＢのときのみ、又は図６で合計スパンロスが所定範囲、例えば２４ｄＢ以上のときのみ、図８から得たＰｏｓｔＡＭＰの平均入力パワーになるよう制御しても良い。更に代替として、図８でＩＬＡ区間のＯＳＮＲが所定範囲内のときのみ、又は図６で合計スパンロスが所定範囲内のときのみ、ＰｏｓｔＡＭＰの平均入力パワーを所定値に下げるよう制御しても良い。
＜ＲＯＡＤＭ装置の構成＞
図９を参照して、ＲＯＡＤＭ装置の構成を説明する。図９のＲＯＡＤＭ装置９００は、受信用アンプ（ＰｒｅＡＭＰ）９０１、スプリッタ（ＳＰＬ）９０２、波長選択スイッチ（Wavelength  Selective  Switch：ＷＳＳ）９０３、送信用アンプ（ＰｏｓｔＡＭＰ）９０４、及び２つの光チャネルモニタ（Optical  Channel  Monitor：ＯＣＭ）９０６、９０７を有する。これらの構成要素は、図３の構成要素３０２〜３０７と同様なので、説明を省略する。
【００６８】
ＲＯＡＤＭ装置９００は、光検出器（ＰＤ）９０５を更に有する。ＰＤ９０５は、ＲＯＡＤＭ装置９００が受信したＷＤＭ信号の総入力パワーと自然放出雑音（Amplified   Spontaneous   Emission：ＡＳＥ）の光パワーをモニタし、ＡＳＥ算出部９１１に渡す。
【００６９】
ＲＯＡＤＭ装置９００は、プリエンファシス制御部９０８、ＰｏｓｔＡＭＰ制御部９０９、ＯＳＮＲ算出部９１０、ＡＳＥ算出部９１１、スパンロス算出部９１２及びインタフェース９１３を更に有する。
【００７０】
プリエンファシス制御部９０８は、ＰｏｓｔＡＭＰ制御部９０９から供給されるチルト量ΔｔとＰｏｓｔＡＭＰ９０４の平均入力パワーの目標値により、波長毎の減衰量を算出する。そして、プリエンファシス制御部９０８は、算出した波長毎の減衰量をＷＳＳ９０３に通知する。
【００７１】
ＰｏｓｔＡＭＰ制御部９０９は、対向するＲＯＡＤＭ装置から受信した波長単位の受信光パワーからチルト量Δｔを決定する。次に、ＰｏｓｔＡＭＰ制御部９０９は、現在のＰｏｓｔＡＭＰの平均入力パワーに基づくプリエンファシス制御量ΔＰＥとチルト量Δｔを比較する。ΔＰＥ＜Δｔの場合には、図８を参照して、ＯＳＮＲ算出部９１０から供給されたＩＬＡ区間のＯＳＮＲに対応するＰｏｓｔＡＭＰ９０４の平均入力パワーの下限値を得る。図８から得た下限値は、ＰｏｓｔＡＭＰ９０４の平均入力パワーの目標値に設定される。ＰｏｓｔＡＭＰ制御部９０９は、チルト量ΔｔとＰｏｓｔＡＭＰ９０４の平均入力パワーの目標値をプリエンファシス制御部９０８に通知する。
【００７２】
代替として、ＰｏｓｔＡＭＰ制御部９０９は、ＩＬＡ区間のＯＳＮＲの代わりに、スパンロス算出部９１２から供給される合計スパンロスを用いてＰｏｓｔＡＭＰ９０４の平均入力パワーの下限値を得ても良い。
【００７３】
ＯＳＮＲ算出部９１０は、受信側のＲＯＡＤＭ装置との間のＩＬＡ区間に存在する全装置からＯＳＮＲを収集し、上述の式（２）によりＩＬＡ区間のＯＳＮＲ［ｄＢ］を算出する。式（２）は図５のネットワーク構成に基づくが、図５よりも多数の又は少数のＩＬＡがＲＯＡＤＭ装置間に存在しても良く、式（２）はＩＬＡの個数に応じて変更される。
【００７４】
代替として、ＯＳＮＲ算出部９１０は、ＡＳＥ算出部９１１から累積ＡＳＥを受信し、次式によりＩＬＡ区間のＯＳＮＲ［ｄＢ］を算出しても良い。
（ＩＬＡ区間のＯＳＮＲ）＝−（累積ＡＳＥ）      （５）
ＯＳＮＲ算出部９１０は、算出したＩＬＡ区間のＯＳＮＲをＰｏｓｔＡＭＰ制御部９０９に通知する。
【００７５】
ＡＳＥ算出部９１１は、受信側のＲＯＡＤＭ装置との間のＩＬＡ区間に存在する全装置からＡＳＥを収集し、累積ＡＳＥを算出する。ＡＳＥ算出部９１１は、算出した累積ＡＳＥをＯＳＮＲ算出部９１０に通知する。
【００７６】
ＡＳＥ算出部９１１は、さらに、受信側のＲＯＡＤＭ装置として使用されるとき、ＰＤ９０５から供給された受信ＷＤＭ信号の総入力パワーとＡＳＥの光パワーに基づき、１つ上流の装置から自装置までの区間のＡＳＥを算出する。ＡＳＥ算出部９１１は、算出したＡＳＥを１つ上流の装置から転送されたＡＳＥに加算し、送信側のＲＯＡＤＭ装置にフィードバックする。
【００７７】
スパンロス算出部９１２は、受信側のＲＯＡＤＭ装置との間のＩＬＡ区間に存在する全装置からスパンロスを収集し、合計スパンロスを算出する。スパンロス算出部９１２は、算出した合計スパンロスをＰｏｓｔＡＭＰ制御部９０９に通知する。
【００７８】
インタフェース９１３は、ＲＯＡＤＭ装置９００内の各構成要素間の通信及びＲＯＡＤＭ装置９００に光ファイバ等を介して接続される他の装置との間の通信を可能にする。
【００７９】
＜ＩＬＡの構成＞
図１０を参照して、ＩＬＡの構成を説明する。図１０のＩＬＡ１０００は、アンプ（ＡＭＰ）１００１、光検出器（ＰＤ）１００２、ＡＳＥ算出部１００３、スパンロス算出部１００４及びインタフェース１００５を有する。
【００８０】
ＡＭＰ１００１は、ＩＬＡが受信した光信号を増幅し、光ファイバを介して他の装置へ送信する。
【００８１】
ＰＤ１００２は、ＩＬＡ１０００が受信したＷＤＭ信号の総入力パワーとＡＳＥの光パワーをモニタし、ＡＳＥ算出部１００３に渡す。
【００８２】
ＡＳＥ算出部１００３は、ＰＤ１００２から供給された受信ＷＤＭ信号の総入力パワーとＡＳＥの光パワーに基づき、ＡＳＥを算出する。ＡＳＥ算出部１００３は、算出したＡＳＥを上流若しくは下流の装置、ＲＯＡＤＭ装置又はネットワーク監視装置へ送信する。
【００８３】
スパンロス算出部１００４は、１つ上流の装置の送信光パワーと自装置の受信光パワーとの差分を計算することにより、スパンロスを算出する。或いは、ＡＳＥ算出部１００３から得たＡＳＥとＯＳＣ光とに基づきスパンロスを算出しても良い。スパンロスの算出方法は、これらに限定されず、知られている種々の方法から選択されて良い。スパンロス算出部１００４は、算出したスパンロスを送信側のＲＯＡＤＭ装置へ送信する。
【００８４】
インタフェース１００５は、ＩＬＡ１０００内の各構成要素間の通信及びＩＬＡ１０００に光ファイバ等を介して接続される他の装置との間の通信を可能にする。
【００８５】
＜波長単位の受信光パワーの伝達＞
送信側のＲＯＡＤＭ装置は、プリエンファシス制御を実施するために、受信側のＲＯＡＤＭ装置における波長単位の受信光パワーを知る必要がある。図１１を参照して、受信側（図１１の右側）のＲＯＡＤＭ装置が送信側（図１１の左側）のＲＯＡＤＭ装置へ波長単位の受信光パワーを伝達する方法を説明する。
【００８６】
図１１は、波長単位の受信光パワーを伝達する実施例を説明する図である。図１１では、送信側のＲＯＡＤＭ装置から送信された光信号は、光ファイバ及びＩＬＡを介して受信側のＲＯＡＤＭ装置で受信される。
【００８７】
受信側のＲＯＡＤＭ装置は、ＰｒｅＡＭＰ９０１からの出力を受信光に含まれる波長λ１，...，λｋの各々についてＯＣＭ９０６によりモニタし、インタフェース９１３を介して波長単位の受信光パワーＰ（λ１），...，Ｐ（λｋ）を１つ上流の装置へフィードバックする。波長単位の受信光パワーはＩＬＡ１０００により中継され、送信側のＲＯＡＤＭ装置まで伝達される。
【００８８】
送信側のＲＯＡＤＭ装置では、インタフェース９１３を介して受信した受信光パワーＰ（λ１），...，Ｐ（λｋ）はＰｏｓｔＡＭＰ制御部９０９及びプリエンファシス制御部９０８に通知される。ＰｏｓｔＡＭＰ制御部９０９及びプリエンファシス制御部９０８の動作は上述の通りである。
【００８９】
上述の受信光パワーの伝達は、ＯＳＣ回線を介して行われる。
【００９０】
＜累積ＡＳＥを用いたＰｏｓｔＡＭＰの平均入力パワーの目標値の算出＞
上述のように、プリエンファシス制御においてＰｏｓｔＡＭＰの平均入力パワーの目標値を決定するために、ＩＬＡ区間のＯＳＮＲを求める必要がある。以下に、図１２〜１４を参照して、累積ＡＳＥを用いてＰｏｓｔＡＭＰの平均入力パワーの目標値を算出する方法を説明する。
【００９１】
図１２は、ＰｏｓｔＡＭＰの平均入力パワーの目標値を算出する第１の実施例を説明する図である。図１２では、送信側（図１２の左側）のＲＯＡＤＭ装置は、ＰｏｓｔＡＭＰ９０４に入力される光信号パワーをＯＣＭ９０７によりモニタして得たＡＳＥの量を表すＡＳＥ０をＡＳＥ＝ＡＳＥ０として下流の装置へ転送する。
【００９２】
ＩＬＡでは、ＡＭＰ１００１に入力される光信号パワーをＰＤ１００２によりモニタする。ＡＳＥ算出部１００３は、ＰＤ１００２により得たＡＳＥの量を表すＡＳＥ１を送信側のＲＯＡＤＭ装置から転送されたＡＳＥに加算し、ＡＳＥ＝ＡＳＥ０＋ＡＳＥ１として、インタフェース１００５を介して下流の装置へ転送する。以降同様に増幅器を通過する度にＡＳＥが加算され、下流の装置へ転送される。
【００９３】
受信側（図１２の右側）のＲＯＡＤＭ装置は、ＰｒｅＡＭＰ９０１に入力される光信号パワーをＰＤ９０５によりモニタする。ＡＳＥ算出部９１１は、ＰＤ９０５により得たＡＳＥの量を表すＡＳＥＮを１つ上流の装置から転送されたＡＳＥに加算し、ＡＳＥ＝ＡＳＥ０＋ＡＳＥ１＋・・・＋ＡＳＥＮとして、インタフェース９１３を介して送信側のＲＯＡＤＭ装置へフィードバックする。このように加算されたＡＳＥを累積ＡＳＥと称する。
【００９４】
送信側のＲＯＡＤＭ装置において、ＯＳＮＲ算出部９１０は、ＡＳＥ算出部９１１から累積ＡＳＥを受信し、上述の式（５）によりＩＬＡ区間のＯＳＮＲを算出する。
【００９５】
図１３は、ＰｏｓｔＡＭＰの平均入力パワーの目標値を算出する第２の実施例を説明する図である。図１３はＡＳＥの伝達方法が図１２と異なる。図１３に示した各装置及び各ブロックの機能は図１２と同様である。
【００９６】
図１３では、先ず、受信側のＲＯＡＤＭ装置がＡＳＥＮを算出し、ＡＳＥ＝ＡＳＥＮとして、上流のＩＬＡへ転送する。
【００９７】
ＩＬＡは、自装置において算出したＡＳＥを下流の装置から受信したＡＳＥに加算し、ＡＳＥ＝ＡＳＥＮ＋ＡＳＥＮ−１として更に上流の装置へ転送する。以降同様に増幅器を通過する度にＡＳＥが加算され、上流の装置へ転送される。
【００９８】
送信側のＲＯＡＤＭ装置は、自装置において算出したＡＳＥ０を下流のＩＬＡ１０００から転送されたＡＳＥ＝ＡＳＥ１＋・・・＋ＡＳＥＮに加算することにより累積ＡＳＥを得る。送信側のＲＯＡＤＭ装置は、この累積ＡＳＥを用いてＯＳＮＲ算出部９１０によりＩＬＡ区間のＯＳＮＲを算出する。
【００９９】
図１４は、ＰｏｓｔＡＭＰの平均入力パワーの目標値を算出する第３の実施例を説明する図である。図１４は各装置と接続されたネットワーク監視装置（ＮＭＳ）１４０１を有する点が図１２と異なる。図１４では、送信側のＲＯＡＤＭ装置の代わりにＮＭＳ１４０１がＯＳＮＲ算出部１４０２を有する。
【０１００】
図１４では、送信側のＲＯＡＤＭ装置、受信側のＲＯＡＤＭ装置、及びＩＬＡのそれぞれがＡＳＥを算出し、ＮＭＳ１４０１に通知する。
【０１０１】
ＮＭＳ１４０１のＯＳＮＲ算出部１４０２は、各装置から通知されたＡＳＥ０，ＡＳＥ１，・・・，ＡＳＥＮを加算することにより累積ＡＳＥを算出し、送信側のＲＯＡＤＭ装置に通知する。
【０１０２】
送信側のＲＯＡＤＭ装置は、ＮＭＳ１４０１から通知された累積ＡＳＥを用いてＯＳＮＲ算出部９１０によりＩＬＡ区間のＯＳＮＲを算出する。
【０１０３】
送信側のＲＯＡＤＭ装置のＰｏｓｔＡＭＰ制御部９０９は、ＯＳＮＲ算出部９１０又はＮＭＳ１４０４のＯＳＮＲ算出部１４０２から得たＩＬＡ区間のＯＳＮＲに基づき図８からＰｏｓｔＡＭＰの平均入力パワーの目標値を決定する。
【０１０４】
上述のＡＳＥの転送は、ＯＳＣ回線を介して行われる。
【０１０５】
＜スパンロスを用いたＰｏｓｔＡＭＰの平均入力パワーの目標値の算出＞
プリエンファシス制御においてＰｏｓｔＡＭＰの平均入力パワーの目標値を決定するために、ＯＳＮＲの代わりにスパンロスを用いても良い。以下に、図１５を参照して、スパンロスを用いてＰｏｓｔＡＭＰの平均入力パワーの目標値を算出する方法を説明する。
【０１０６】
図１５は、各装置がスパンロス算出部９１２、１００４を有し、ＡＳＥ算出部及びＯＳＮＲ算出部を有しない点が図１２と異なる。
【０１０７】
図１５では、先ず、受信側のＲＯＡＤＭ装置がスパンロスＬＮを算出し、Ｌ＝ＬＮとして上流のＩＬＡへ転送する。
【０１０８】
ＩＬＡは、自装置において算出したスパンロスＬＮ−１を下流の装置から受信したスパンロスに加算し、Ｌ＝ＬＮ＋ＬＮ−１として更に上流の装置へ転送する。以降同様に装置を通過する度にスパンロスが加算され、上流の装置へ転送される。
【０１０９】
送信側のＲＯＡＤＭ装置のスパンロス算出部９１２は、自装置において算出したＬ０を下流のＩＬＡ１０００から転送されたスパンロスに加算することにより合計スパンロスＬ＝ＬＮ＋ＬＮ−１＋・・・＋Ｌ０を得る。スパンロス算出部９１２は、この合計スパンロスをＰｏｓｔＡＭＰ制御部９０９に通知する。
【０１１０】
ＰｏｓｔＡＭＰ制御部９０９は、合計スパンロスが大きいほど、ＰｏｓｔＡＭＰの平均入力パワーの目標値を低い値に決定する。代替として、ＰｏｓｔＡＭＰ制御部９０９は、合計スパンロスが所定値以上の場合に、ＰｏｓｔＡＭＰの平均入力パワーの目標値を所定値に決定しても良い。
【０１１１】
＜ＰｏｓｔＡＭＰの平均入力パワーを制御する方法＞
図１６を参照して、ＰｏｓｔＡＭＰの平均入力パワーを制御する方法を説明する。図１６に示した方法は、送信側のＲＯＡＤＭ装置により行われる。
【０１１２】
Ｓ１で、方法は開始する。
【０１１３】
Ｓ２で、ＰｏｓｔＡＭＰ制御部９０９は、ＰｏｓｔＡＭＰ９０４の平均入力パワーの初期値をＰｏｓｔＡＭＰの平均入力パワーの目標値に設定する。初期値は、ＩＬＡ区間のＯＳＮＲが大きい（良好な）場合の値を用い、例えば−２０ｄＢｍであって良い。
【０１１４】
Ｓ３で、ＲＯＡＤＭ装置は、ＲＯＡＤＭ装置間で送受信されるＷＤＭ信号回線のアラームを監視する。アラームがある場合には、アラームが検出されなくなるまで監視を続ける。アラームが無ければＳ４へ進む。
【０１１５】
Ｓ４で、ＲＯＡＤＭ装置は、ＲＯＡＤＭ装置間の立ち上げが完了したか否かを判断する。ＲＯＡＤＭ装置は、遠端のＲＯＡＤＭ装置との間でＯＳＣ回線の送受信が正常に実施されたと確認できた場合に、立ち上げが完了したと判断する。完了していない場合は、Ｓ３へ戻りアラームを監視する。完了した場合にはＳ５へ進む。
【０１１６】
Ｓ５で、ＰｏｓｔＡＭＰ制御部９０９は、チルト量Δｔ及びプリエンファシス制御量ΔＰＥを決定する。
【０１１７】
Ｓ６で、ＰｏｓｔＡＭＰ制御部９０９は、プリエンファシス制御量ΔＰＥとチルト量Δｔを比較する。ΔＰＥ＜Δｔの場合にはＳ７へ進み、その他の場合はＳ８へ進む。
【０１１８】
Ｓ７で、ＰｏｓｔＡＭＰ制御部９０９は、上述のように累積ＡＳＥから算出したＯＳＮＲ又は合計スパンロスを用いてＰｏｓｔＡＭＰ９０４の平均入力パワーの目標値を決定する。
【０１１９】
Ｓ８で、プリエンファシス制御部９０８は、現在のＰｏｓｔＡＭＰの平均入力パワーに基づき又はＳ７で設定されたＰｏｓｔＡＭＰの平均入力パワーの目標値に基づき、プリエンファシス制御を実行する。
【０１２０】
Ｓ９で、ＲＯＡＤＭ装置は、再びＲＯＡＤＭ装置間で送受信されるＷＤＭ信号回線のアラームを監視する。アラームが無い場合には、Ｓ５に戻り、ΔＰＥとΔｔを算出して処理を繰り返す。アラームがある場合には、Ｓ１０へ進む。
【０１２１】
Ｓ１０で、Ｓ１へ戻り、ＰｏｓｔＡＭＰの平均入力パワーを再び初期値に設定して処理を繰り返す。
【０１２２】
＜プリエンファシス制御量及びチルト量の算出＞
図１７を参照して、プリエンファシス制御量及びチルト量を算出する処理を説明する。図１７は、図１６のＳ５を詳しく記載したフローチャートである。図１７に示した処理は、送信側のＲＯＡＤＭ装置により行われる。
【０１２３】
処理は、Ｓ１１で開始する。
【０１２４】
Ｓ１２で、図１１を参照して説明したように、送信側のＲＯＡＤＭ装置は受信側のＲＯＡＤＭ装置から波長単位の受信光パワーを受信する。
【０１２５】
Ｓ１３で、ＰｏｓｔＡＭＰ制御部９０９は、Ｓ１２で受信した波長単位の受信光パワーの最大値と最小値の差を計算することによりチルト量Δｔを算出する。
【０１２６】
Ｓ１４、ＰｏｓｔＡＭＰ制御部９０９は、現在のＰｏｓｔＡＭＰの平均入力パワーに基づきプリエンファシス制御量ΔＰＥを算出する。
【０１２７】
Ｓ１５で、処理は終了する。
【０１２８】
＜ＰｏｓｔＡＭＰの平均入力パワーの目標値の決定＞
図１８を参照して、ＰｏｓｔＡＭＰの平均入力パワーの目標値を決定する処理を説明する。図１８は、図１６のＳ７を詳しく記載したフローチャートである。図１７に示した処理は、送信側のＲＯＡＤＭ装置により行われる。代替として、図１４を参照して説明したように、図１７に示した処理の少なくとも一部、例えばＳ２２〜Ｓ２４はネットワーク監視装置（ＮＭＳ）１４０１のＯＳＮＲ算出部１４０２により行われても良い。
【０１２９】
処理は、Ｓ２１で開始する。
【０１３０】
Ｓ２２で、図１２〜図１４を参照して説明したように、ＯＳＮＲ算出部９１０は、ＷＤＭ信号が通過する経路にある全装置のＡＳＥを加算することにより、累積ＡＳＥを算出する。
【０１３１】
Ｓ２３で、図１２〜１４を参照して説明したように、ＯＳＮＲ算出部９１０は、Ｓ２２で得た累積ＡＳＥを用い、上述の式（５）によりＩＬＡ区間のＯＳＮＲを算出する。
【０１３２】
Ｓ２４で、ＰｏｓｔＡＭＰ制御部９０９は、図８を用いて、Ｓ２３で得たＩＬＡ区間のＯＳＮＲに対応するＰｏｓｔＡＭＰの平均入力パワーを決定する。
【０１３３】
Ｓ２５で、ＰｏｓｔＡＭＰ制御部９０９は、Ｓ２４で得たＰｏｓｔＡＭＰの平均入力パワーを目標値に設定し、プリエンファシス制御部９０８に通知する。
【０１３４】
Ｓ２６で、処理は終了する。
【０１３５】
図１８では、累積ＡＳＥからＯＳＮＲを求めたが、代替として、図１５を参照して説明したようにＩＬＡ区間の合計スパンロスからＰｏｓｔＡＭＰの平均入力パワーを求めても良い。
【０１３６】
＜プリエンファシス制御の実行＞
図１９を参照して、プリエンファシス制御を実行する処理を説明する。図１９は、図１６のＳ８を詳しく記載したフローチャートである。
【０１３７】
処理は、Ｓ３１で開始する。
【０１３８】
Ｓ３２で、プリエンファシス制御部９０８は、図１８のＳ２５で決定した目標値と図１７のＳ１２で得た波長単位の受信光パワーに基づき、図１７のＳ１３で算出したチルト量が０になるように波長毎の減衰（ＡＴＴ）量を決定する。
【０１３９】
Ｓ３３で、プリエンファシス制御部９０８は、Ｓ３２で決定した波長毎のＡＴＴ量に基づき、ＷＳＳ９０３を制御して波長毎に適用する減衰量を調整させる。
【０１４０】
Ｓ３４で、処理は終了する。
【０１４１】
以上の実施形態に関し、更に以下の付記を開示する。
（付記１）  送信用アンプの出力から受信側装置の受信用アンプの出力までの間の伝送品質に基づく指標に基づき送信用アンプの平均光入力パワーの目標値を決定する送信用アンプ制御部と、
前記目標値及び前記受信用アンプの出力における波長単位の受信光パワーに基づき、波長毎に送信光パワーの調整量を決定するプリエンファシス制御部と、
を備える伝送装置。
（付記２）  前記送信用アンプ制御部は、前記受信用アンプの出力における波長単位の受信光パワーに基づきチルト量を算出し、前記チルト量が現在のプリエンファシス制御が可能な量より大きい場合に、前記目標値を現在の送信用アンプの平均光入力パワーより低い値に決定する、付記１に記載の伝送装置。
（付記３）  前記送信用アンプ制御部は、前記指標が所定の範囲の場合に、前記目標値を現在の平均光入力パワーより低い値に決定する、付記１又は２に記載の伝送装置。
（付記４）  前記送信用アンプ制御部は、前記指標が示す前記伝送品質が悪いほど、前記目標値を現在の平均光入力パワーより低い値に決定する、付記１乃至３のいずれか一項に記載の伝送装置。
（付記５）  前記送信用アンプの出力から前記受信側装置の受信用アンプの出力までの間の累積自然放出雑音（ＡＳＥ）を算出するＡＳＥ算出部と、
前記累積ＡＳＥに基づき前記送信用アンプの出力から前記受信側装置の受信用アンプの出力までの間の光信号対雑音比（ＯＳＮＲ）を算出するＯＳＮＲ算出部と、
を更に備え、
前記送信用アンプ制御部は、前記ＯＳＮＲを前記指標として用いる、付記１乃至４のいずれか一項に記載の伝送装置。
（付記６）  前記伝送装置と前記受信側装置とその間に配置された中継装置の各々が、上流の装置から受信したＡＳＥに自装置の算出したＡＳＥを加算して下流の装置に転送し、前記ＡＳＥ算出部は、前記受信側装置から転送されたＡＳＥを前記累積ＡＳＥとして用いる、付記５に記載の伝送装置。
（付記７）  前記伝送装置と前記受信側装置とその間に配置された中継装置の各々が、下流の装置から受信したＡＳＥに自装置の算出したＡＳＥを加算して上流の装置に転送し、前記ＡＳＥ算出部は、自装置の１つ上流の装置から転送されたＡＳＥを前記累積ＡＳＥとして用いる、付記５に記載の伝送装置。
（付記８）  ネットワーク監視装置が、前記伝送装置と前記受信側装置とその間に配置された中継装置の各々が算出したＡＳＥを加算して前記ＡＳＥ算出部に通知し、前記ＡＳＥ算出部は、前記ネットワーク監視装置から通知されたＡＳＥを前記累積ＡＳＥとして用いる、付記５に記載の伝送装置。
（付記９）  前記送信用アンプの出力から前記受信側装置の受信用アンプの出力までの間のスパンロスを加算することにより合計スパンロスを算出するスパンロス算出部、
を更に備え、
前記送信用アンプ制御部は、前記合計スパンロスを前記指標として用いる、付記１乃至５のいずれか一項に記載の伝送装置。
（付記１０）  前記ＡＳＥ又は前記スパンロスは、光監視チャネル（ＯＳＣ）を介して通知される、付記５又は６に記載の伝送装置。
（付記１１）  送信側装置と受信側装置とその間に配置された１以上の中継装置とを有する伝送システムであって、
前記受信側装置は、受信用アンプの出力における波長単位の受信光パワーをモニタして前記送信側装置に通知し、
前記送信側装置は、
送信用アンプの出力から前記受信側装置の受信用アンプの出力までの間の伝送品質に基づく指標に基づき送信用アンプの平均光入力パワーの目標値を決定する送信用アンプ制御部と、
前記目標値及び前記受信用アンプの出力における波長単位の受信光パワーに基づき、波長毎に送信光パワーの調整量を決定するプリエンファシス制御部と、
を備える、伝送システム。
（付記１２）  前記送信用アンプ制御部は、前記受信用アンプの出力における波長単位の受信光パワーに基づきチルト量を算出し、前記チルト量が現在のプリエンファシス制御が可能な量より大きい場合に、前記目標値を現在の送信用アンプの平均光入力パワーより低い値に決定する、付記１１に記載の伝送システム。
（付記１３）  前記送信用アンプ制御部は、前記指標が所定の範囲の場合に、前記目標値（８０１）を現在の平均光入力パワーより低い値に決定する、付記１１又は１２に記載の伝送システム。
（付記１４）  前記送信用アンプ制御部は、前記指標が示す前記伝送品質が悪いほど、前記目標値を現在の平均光入力パワーより低い値に決定する、付記１１乃至１３のいずれか一項に記載の伝送システム。
（付記１５）  前記送信側装置は、
前記送信用アンプの出力から前記受信側装置の受信用アンプの出力までの間の累積自然放出雑音（ＡＳＥ）を算出するＡＳＥ算出部と、
前記累積ＡＳＥに基づき前記送信用アンプの出力から前記受信側装置の受信用アンプの出力までの間の光信号対雑音比（ＯＳＮＲ）を算出するＯＳＮＲ算出部と、
を更に備え、
前記送信用アンプ制御部は、前記ＯＳＮＲを前記指標として用いる、付記１１乃至１４のいずれか一項に記載の伝送システム。
（付記１６）  前記送信側装置と前記受信側装置と前記中継装置の各々が、上流の装置から受信したＡＳＥに自装置の算出したＡＳＥを加算して下流の装置に転送し、前記送信側装置の前記ＡＳＥ算出部は、前記受信側装置から転送されたＡＳＥを前記累積ＡＳＥとして用いる、付記１５に記載の伝送システム。
（付記１７）  前記送信側装置と前記受信側装置と前記中継装置の各々が、下流の装置から受信したＡＳＥに自装置の算出したＡＳＥを加算して上流の装置に転送し、前記送信側装置の前記ＡＳＥ算出部は、前記送信側装置の１つ上流の装置から転送されたＡＳＥを前記累積ＡＳＥとして用いる、付記１５に記載の伝送システム。
（付記１８）  ネットワーク監視装置を更に備え、
前記伝送装置と前記受信側装置と前記中継装置の各々は、前記ネットワーク監視装置に各装置の算出したＡＳＥを通知し、
前記ネットワーク監視装置は、通知されたＡＳＥを加算して前記送信側装置のＡＳＥ算出部に通知し、
前記ＡＳＥ算出部は、前記ネットワーク監視装置から通知されたＡＳＥを前記累積ＡＳＥとして用いる、付記１５に記載の伝送システム。
（付記１９）  前記送信側装置は、
前記送信用アンプの出力から前記受信側装置の受信用アンプの出力までの間のスパンロスを加算することにより合計スパンロスを算出するスパンロス算出部、
を更に備え、
前記送信用アンプ制御部は、前記合計スパンロスを前記指標として用いる、付記１１乃至１５のいずれか一項に記載の伝送システム。
（付記２０）  前記ＡＳＥ又は前記スパンロスは、光監視チャネル（ＯＳＣ）を介して通知される、付記１５又は１６に記載の伝送システム。
（付記２１）  伝送装置の送信用アンプの平均光入力パワーを制御する方法であって、前記伝送装置の送信用アンプ制御部により、前記送信用アンプの出力から受信側装置の受信用アンプの出力までの間の伝送品質に基づく指標に基づき前記送信用アンプの平均光入力パワーの目標値を決定し、
前記目標値及び前記受信用アンプの出力における波長単位の受信光パワーに基づき、波長毎に送信光パワーの調整量を決定する、
ことを特徴とする制御方法。
（付記２２）  前記送信用アンプ制御部により、前記受信用アンプの出力における波長単位の受信光パワーに基づきチルト量を算出し、
前記目標値の決定は、前記送信用アンプ制御部により、前記チルト量が現在のプリエンファシス制御が可能な量より大きい場合に、前記目標値を現在の送信用アンプの平均光入力パワーより低い値に決定する、付記２１に記載の方法。
（付記２３）  前記目標値の決定は、前記送信用アンプ制御部により、前記指標が所定の範囲の場合に、前記目標値を現在の平均光入力パワーより低い値に決定する、付記２１又は２２に記載の方法。
（付記２４）  前記目標値の決定は、前記送信用アンプ制御部により、前記指標が示す前記伝送品質が悪いほど、前記目標値を現在の平均光入力パワーより低い値に決定する、付記２１乃至２３のいずれか一項に記載の方法。
（付記２５）  前記伝送装置の前記自然放出雑音（ＡＳＥ）算出部により、前記送信用アンプの出力から前記受信側装置の受信用アンプの出力までの間の累積ＡＳＥを算出し、
前記伝送装置の光信号対雑音比（ＯＳＮＲ）算出部により、前記累積ＡＳＥに基づき前記送信用アンプの出力から前記受信側装置の受信用アンプの出力までの間のＯＳＮＲを算出し、
前記送信用アンプ制御部は、前記ＯＳＮＲを前記指標として用いる、付記２１乃至２４のいずれか一項に記載の方法。
（付記２６）  前記伝送装置と前記受信側装置とその間に配置された中継装置の各々が、上流の装置から受信したＡＳＥに自装置の算出したＡＳＥを加算して下流の装置に転送し、
前記ＡＳＥ算出部は、前記受信側装置から転送されたＡＳＥを前記累積ＡＳＥとして用いる、付記２５に記載の方法。
（付記２７）  前記伝送装置と前記受信側装置とその間に配置された中継装置の各々が、下流の装置から受信したＡＳＥに自装置の算出したＡＳＥを加算して上流の装置に転送し、
前記ＡＳＥ算出部は、自装置の１つ上流の装置から転送されたＡＳＥを前記累積ＡＳＥとして用いる、付記２５に記載の方法。
（付記２８）  ネットワーク監視装置が、前記伝送装置と前記受信側装置とその間に配置された中継装置の各々が算出したＡＳＥを加算して前記ＡＳＥ算出部に通知し、
前記ＡＳＥ算出部は、前記ネットワーク監視装置から通知されたＡＳＥを前記累積ＡＳＥとして用いる、付記２５に記載の方法。
（付記２９）  前記伝送装置のスパンロス算出部により、前記送信用アンプの出力から前記受信側装置の受信用アンプの出力までの間のスパンロスを加算することにより合計スパンロスを算出し、
前記送信用アンプ制御部は、前記合計スパンロスを前記指標として用いる、付記２１乃至２５のいずれか一項に記載の方法。
（付記３０）  前記ＡＳＥ又は前記スパンロスは、光監視チャネル（ＯＳＣ）を介して通知される、付記２５又は２６に記載の方法。
【符号の説明】
【０１４２】
Ａ〜Ｇ  ＲＯＡＤＭ装置
ａ〜ｆ  ＩＬＡ
３０１、４０１、９００  ＲＯＡＤＭ装置
３０２、４０２、９０１  受信用アンプ（ＰｒｅＡＭＰ）
３０３、４０３、９０２  スプリッタ（ＳＰＬ）
３０４、４０４、９０３  波長選択スイッチ（ＷＳＳ）
３０５、４０５、９０４  受信用アンプ（ＰｏｓｔＡＭＰ）
３０６、３０７、４０６、４０７、９０６、９０７  光チャネルモニタ（ＯＣＭ）
３０８、４０８、９０８  プリエンファシス制御部
９０５  光検出器（ＰＤ）
９０９  送信用アンプ（ＰｏｓｔＡＭＰ）制御部
９１０  光信号対雑音比（ＯＳＮＲ）算出部
９１１  自然放出雑音（ＡＳＥ）算出部
９１２  スパンロス算出部
９１３  インタフェース
１０００  ＩＬＡ
１００１  アンプ
１００２  光検出器（ＰＤ）
１００３  ＡＳＥ算出部
１００４  スパンロス算出部
１００５  インタフェース
【図１】
2014192615.tif 000003
【図２】
2014192615.tif 000004
【図３】
2014192615.tif 000005
【図４】
2014192615.tif 000006
【図５】
2014192615.tif 000007
【図６】
2014192615.tif 000008
【図７】
2014192615.tif 000009
【図８】
2014192615.tif 000010
【図９】
2014192615.tif 000011
【図１０】
2014192615.tif 000012
【図１１】
2014192615.tif 000013
【図１２】
2014192615.tif 000014
【図１３】
2014192615.tif 000015
【図１４】
2014192615.tif 000016
【図１５】
2014192615.tif 000017
【図１６】
2014192615.tif 000018
【図１７】
2014192615.tif 000019
【図１８】
2014192615.tif 000020
【図１９】
2014192615.tif 000021